(57)【要約】【課題】  非接触ＩＣカードは、外部装置と少し離れた位置から非接触に通信してカードを利用できる特性があるために、非接触ＩＣカードの所持者に気づかれることなく、非接触ＩＣカードに含まれるデータを読まれる可能性がある。本発明は、非接触ＩＣカードと外部装置との通信を所有者が行いたい場合にのみ通信を可能とし、利用する意思がない場合は通信を遮断して非接触ＩＣカードと外部装置との通信を防止する非接触ＩＣカード通信防止装置及び非接触ＩＣカードケースの提供を目的とする。【解決手段】  上述の目的を達成するために、本願発明は、非接触ＩＣカードが通信する外部装置と前記非接触ＩＣカードとの間の電磁波の誘導を遮断又は減衰させる電磁シールド手段を利用して、外部装置と非接触に通信する非接触ＩＣカードが、前記外部装置と通信するのを防止する。【選択図】図７
2005346549.tif 000002
【特許請求の範囲】
【請求項１】
外部装置と非接触に通信することのできる非接触ＩＣカードが、前記外部装置と通信するのを防止するための非接触ＩＣカード通信防止装置であって、
前記非接触ＩＣカードに内蔵されるアンテナを超える大きさの平面形状で、かつ前記外部装置と前記非接触ＩＣカードとの間の電磁波の誘導を遮断又は減衰させる電磁シールド手段を備え、
前記非接触ＩＣカードの表面及び裏面のうちの一方又は双方に配置される非接触ＩＣカード通信防止装置。
【請求項２】
請求項１記載の非接触ＩＣカード通信防止装置を備えた、非接触ＩＣカードを収納する非接触ＩＣカードケース。
【請求項３】
非接触ＩＣカードに内蔵されるアンテナを超える大きさの平面形状で、かつ前記非接触ＩＣカードが通信する外部装置と前記非接触ＩＣカードとの間の電磁波の誘導を遮断又は減衰させる電磁シールド手段と、
前記非接触ＩＣカードを収納する収納部と、を備えた２以上の面を有する見開き型の非接触ＩＣカードケースであって、
見開きの１つの面に前記電磁シールド手段が配置され、
見開きの他の１つの面に前記収納部が配置されていることを特徴とする非接触ＩＣカードケース。
【請求項４】
非接触ＩＣカードに内蔵されるアンテナを超える大きさの平面形状で、かつ前記非接触ＩＣカードが通信する外部装置と前記非接触ＩＣカードとの間の電磁波の誘導を遮断又は減衰させる電磁シールド手段と、
前記非接触ＩＣカードを収納する収納部と、を備えた３以上の面を有する見開き型の非接触ＩＣカードケースであって、
見開きの２つの面に前記電磁シールド手段が配置され、
前記非接触ＩＣカードケースを閉じた状態では、前記収納部の配置されている見開きの１つの面が、前記電磁シールド手段の配置された他の２つの面の間に挟まれていることを特徴とする非接触ＩＣカードケース。
【発明の詳細な説明】
【技術分野】
【０００１】
本発明は、カードリーダ・ライタに代表される外部装置と非接触に通信して利用する非接触ＩＣカードが、外部装置と通信するのを防止する非接触ＩＣカード通信防止装置及び非接触ＩＣカードケースに関し、特に非接触ＩＣカードを外部装置に近接した場合でも使用者の必要に応じて当該外部装置との通信を行わせない非接触ＩＣカード通信防止装置及び非接触ＩＣカードケースに関する。
【背景技術】
【０００２】
従来、メモリ又はマイクロコンピュータをチップ化したＩＣチップをプラスチックカード内に格納したＩＣカードが知られており、ＩＣカードリーダの入出力端子や電源端子にＩＣカードの端子を接触させてデータやプログラムの入出力を行っている。
【０００３】
このため、ＩＣカード所有者以外の者が、本人に気づかれないで本人の所持するＩＣカードにアクセスすることは困難であった。しかし、近年、非接触ＩＣカードが用いられるようになってきた。
【０００４】
図１０は、非接触ＩＣカードを示す斜視図である。非接触ＩＣカード６０は、カード型の本体６２にアンテナ６４とＩＣチップ６６が埋設されている。このような構成にて無線による電磁波を利用して非接触でカードリーダ・ライタ等の外部装置との間でデータやプログラムの読み書きを行うものである。すなわち、外部装置側から誘導電磁波を照射し、非接触ＩＣカード６０に内蔵されたアンテナ６４によって誘導電磁波を受信し、アンテナ６４で生じた誘導起電力を非接触ＩＣカード６０の駆動電力とするとともに誘導電磁波に重畳された電磁波によりＩＣチップ６６に記憶されたデータを読み取る。
【０００５】
さらに、この非接触ＩＣカードと同様の技術により、ネットワーク接続を前提としたＩＣタグと呼ばれる技術も登場しており、非接触ＩＣカードと同様、外部装置との無線通信によってデータ等の送受信を行っている。ＩＣタグのようなＩＣチップと外部装置との間で無線通信によるデータの送受を行うものも本明細書で用いる非接触ＩＣカードに含まれるものとする。
【０００６】
図１１は、非接触ＩＣカードを使用する場合の概念図である。図１１には、非接触ＩＣカード６０がカードリーダ・ライタに代表されるデータ等の送受信を行う外部装置７０と近接されてデータの送受信を行っている概念を示している。非接触ＩＣカード６０と外部装置７０とは、無線通信によってデータ等の送受信を行う。特に、非接触ＩＣカード６０に操作を加えなくとも、外部装置７０は近接する非接触ＩＣカード６０と自動的に送受信を開始する。
【０００７】
さて、この種の非接触ＩＣカードを保護するためにカードケースを用いて携帯利用する場合が多い。この種のカードケースには、非接触ＩＣカードをケース内部に収納し、この携帯利用時に不測に外力を受けて損傷しないように、また静電気を受けてデータ破壊しないように外力や静電気から保護することを目的として作成されているものがある（例えば、特許文献１参照。）。
【特許文献１】特開平１−１９８３９５号公報
【発明の開示】
【発明が解決しようとする課題】
【０００８】
しかし、一旦使用が開始された非接触ＩＣカードは、外部装置と少し離れた位置から非接触に通信してカードを利用できる特性があるために、非接触ＩＣカードの所持者に気づかれることなく、非接触ＩＣカードに含まれるデータを読まれる可能性がある。これが悪用された場合にこの非接触ＩＣカードの金銭的な価値データやＩＤデータ等の貴重なデータが盗まれることになる。
【０００９】
例えば、混雑した電車の中で乗客がカードリーダ等の読み取りのための外部装置を所持していれば、その乗客に近づくだけで、当該乗客が所持する非接触ＩＣカードの情報を読み取ることができる可能性がある。このようなカードのうち、銀行カードやクレジットカードについては、本人が気づかないうちに各人が所有するカードの個人情報等が簡単に盗まれてしまう危険性がある。
【００１０】
また現在鉄道各社で用いられている自動改札機通過用の非接触ＩＣカードの場合、たまたま自動改札口の付近を通行しただけで通信したと判断されて課金されてしまう可能性もある。
【００１１】
そこで、本発明は、非接触ＩＣカードと外部装置との通信を所有者が行いたい場合にのみ通信を可能とし、利用する意思がない場合は通信を遮断して非接触ＩＣカードと外部装置との通信を防止する非接触ＩＣカード通信防止装置及び非接触ＩＣカードケースの提供を目的とする。
【課題を解決するための手段】
【００１２】
上記目的を達成するために、本願発明は、非接触ＩＣカードが通信する外部装置と前記非接触ＩＣカードとの間の電磁波の誘導を遮断又は減衰させる電磁シールド手段を利用して、外部装置と非接触に通信する非接触ＩＣカードが、前記外部装置と通信するのを防止する。
【００１３】
具体的には、本願発明は、外部装置と非接触に通信することのできる非接触ＩＣカードが、前記外部装置と通信するのを防止するための非接触ＩＣカード通信防止装置であって、前記非接触ＩＣカードに内蔵されるアンテナを超える大きさの平面形状で、かつ前記外部装置と前記非接触ＩＣカードとの間の電磁波の誘導を遮断又は減衰させる電磁シールド手段を備え、前記非接触ＩＣカードの表面及び裏面のうちの一方又は双方に配置される非接触ＩＣカード通信防止装置である。
【００１４】
本発明の非接触ＩＣカード通信防止装置を非接触ＩＣカードと重ねて配置すれば、非接触ＩＣカードが、本人に気づかれないうちに、外部装置と通信してしまうということを防止することができる。
【００１５】
本願他の発明は、上記の非接触ＩＣカード通信防止装置を備えた、非接触ＩＣカードを収納する非接触ＩＣカードケースである。
【００１６】
本発明の非接触ＩＣカードケースに非接触ＩＣカードを入れて所持すれば、非接触ＩＣカードが、本人に気づかれないうちに、外部装置と通信してしまうということを防止することができる。
【００１７】
本願他の発明は、非接触ＩＣカードに内蔵されるアンテナを超える大きさの平面形状で、かつ前記非接触ＩＣカードが通信する外部装置と前記非接触ＩＣカードとの間の電磁波の誘導を遮断又は減衰させる電磁シールド手段と、前記非接触ＩＣカードを収納する収納部と、を備えた２以上の面を有する見開き型の非接触ＩＣカードケースであって、見開きの１つの面に前記電磁シールド手段が配置され、見開きの他の１つの面に前記収納部が配置されていることを特徴とする非接触ＩＣカードケースである。
【００１８】
本発明の非接触ＩＣカードケースに非接触ＩＣカードを入れて所持すれば、非接触ＩＣカードが、本人に気づかれないうちに、外部装置と通信してしまうということを防止することができる。必要なときは、非接触ＩＣカードケースを開けば、非接触ＩＣカードが外部装置と通信することができる。
【００１９】
本願他の発明は、非接触ＩＣカードに内蔵されるアンテナを超える大きさの平面形状で、かつ前記非接触ＩＣカードが通信する外部装置と前記非接触ＩＣカードとの間の電磁波の誘導を遮断又は減衰させる電磁シールド手段と、前記非接触ＩＣカードを収納する収納部と、を備えた３以上の面を有する見開き型の非接触ＩＣカードケースであって、見開きの２つの面に前記電磁シールド手段が配置され、前記非接触ＩＣカードケースを閉じた状態では、前記収納部の配置されている見開きの１つの面が、前記電磁シールド手段の配置された他の２つの面の間に挟まれていることを特徴とする非接触ＩＣカードケースである。
【００２０】
本発明の非接触ＩＣカードケースに非接触ＩＣカードを入れて所持すれば、非接触ＩＣカードが、本人に気づかれないうちに、外部装置と通信してしまうということをより強力に防止することができる。必要なときは、非接触ＩＣカードケースを開けば、非接触ＩＣカードが外部装置と通信することができる。
【発明の効果】
【００２１】
本発明によれば、非接触ＩＣカードと外部装置との通信を所有者が行いたい場合にのみ通信を可能とし、利用する意思がない場合は通信を遮断して非接触ＩＣカードと外部装置との通信を防止する非接触ＩＣカード通信防止装置及び非接触ＩＣカードケースを提供することができる。
【発明を実施するための最良の形態】
【００２２】
以下、本発明を実施するための最良の形態を説明する。
（実施の形態１）
図１は、本発明の一実施形態に係る非接触ＩＣカード通信防止装置１０を示す図である。図１において、１２は非接触ＩＣカード通信防止装置１０の本体、１４は非接触ＩＣカード通信防止装置１０の備える電磁シールド手段である。随時、図１０、図１１も使用して説明する。
【００２３】
電磁シールド手段１４は、図１１における外部装置７０と非接触に通信する非接触ＩＣカード６０が、外部装置７０と通信するのを防止するために、外部装置７０と非接触ＩＣカード６０との間の電磁波の誘導を遮断又は減衰させる。
【００２４】
電磁シールド手段１４は、図１０における非接触ＩＣカード６０に内蔵のアンテナ６２を超える大きさの平面形状であればよい。非接触ＩＣカード６０に内蔵されるアンテナ６２は、送受信を兼用するアンテナを用いることが多いが、これに限定されず、送信用、受信用にそれぞれ分かれていれもよい。送受信のアンテナが別個に設けられている場合には、いずれか一方のアンテナのみをシールドできれば通信を防止することができる。アンテナ６２はコイン状の大きさのものから非接触ＩＣカード６０の内周に沿った形状をしているものまで、非接触ＩＣカードのシステムに応じて種々のものがあるが、いずれの形状であっても、電磁シールド手段１４はそのアンテナ６０を超える大きさであればよく、具体的な形状については何ら限定されない。
【００２５】
また、電磁シールド手段１４は、例えば、金属をメッシュ状に構成したもの、ラティス状に構成したもの、金属箔、金属板、本体１２に金属粉を含ませたもの、本体１２に金属糸を縫い込んだもの、いずれでもよい。
【００２６】
金属は、導電性を有するものであればいずれでもよく、金、銀、白金、銅、アルミニウム、鉄、ニッケル等の導電性を有するあらゆる金属が含まれる。また、導電性を示すことにより電磁シールド効果が得られる物質であれば、金属に限定されるものでもない。
【００２７】
また、本体１２は、上記した金属箔、金属板で構成してもよく、上記したとおり金属をラティス状やメッシュ状に構成したものでもよい。さらには、プラスチック、布、紙等のあらゆる素材を本体１２とすることができる。その場合には、電磁シールド手段１４を本体１２に塗布し、貼り合わせ、縫い込んで構成することができる。
【００２８】
例えば、本体１２をプラスチックとして構成する場合を考えると、本体１２としては、例えばポリエチレン、ポリプロピレン又はポリエチレンテレフタレート等の任意の物質を用いることができる。そして、本体１２中に導電性パウダーが混入されたプラスチックフィルムにて形成されたもの、表面に金属薄膜が蒸着されたプラスチックフィルムにて形成されたもの、表面に金属箔が貼付られたプラスチックフィルムにて形成されたもの、表面に導電性樹脂が塗布されたプラスチックフィルムにて形成されたもの、内部に金属線又は金属製の網が埋め込まれたプラスチックフィルムにて形成されたもの等各種の態様が考えられる。いずれの態様も本発明の電磁シールド手段として把握されるものである。
【００２９】
さらには、本体１２の裏面をシールとして、一般のカードケースに貼り付けて使用するような構成とすることも任意である。
【００３０】
図２は、本発明の一実施形態に係る非接触ＩＣカード通信防止装置１０と非接触ＩＣカード６０との配置を示す図である。図２には、非接触ＩＣカード通信防止装置１０が、前記非接触ＩＣカード６０と平行して配置されている状態が示されている。非接触ＩＣカード通信防止装置１０は、非接触ＩＣカード６０の表面及び裏面のうちの一方又は双方のいずれかに配置されればよい。このような配置にすることで図１１における外部装置７０と非接触ＩＣカード６０との通信を防止できることについては後述する。
【００３１】
図３は、本発明の一実施形態に係る非接触ＩＣ通信防止装置１０の使用状態を示す図である。図３には、一般のカード収納用のカードケース３０に、非接触ＩＣカード６０と本発明に係る非接触ＩＣカード通信防止装置１０とを一緒に収納する状態が示されている。このように収納すれば、非接触ＩＣカード６０の表面及び裏面のうちの一方に必ず配置されることになる。また、本発明に係る非接触ＩＣカード通信防止装置１０を２枚用意して非接触ＩＣカード１０を挟み込むように収納してもよい。
【００３２】
図４は、本発明の一実施形態に係る非接触ＩＣカード通信防止装置１０が図１１における外部装置７０からの電磁波を遮蔽している状態を示す説明図である。
【００３３】
一般に、使用される電磁波の周波数が高周波になるほど電磁波は直線的に進行することになるため、電磁シールド手段１４の裏側には電磁波の影ができる。この性質を利用すれば電磁シールド手段１４を、図１１における外部装置７０側からみて非接触ＩＣカード６０の表面に置くことで、非接触ＩＣカード６０が外部装置７０と通信することを防止することができる。
【００３４】
図５は、本発明の一実施形態に係る非接触ＩＣカード通信防止装置１０が図１１における外部装置７０からの電磁波を妨げている状態を示す説明図である。
【００３５】
一般に、導体内には電磁波が存在しないため、空気と導体との境界面では境界条件より電磁波は乱れる性質を有するため、図５に示すように外部装置が非接触ＩＣカード６０の側に存在していても、非接触ＩＣカード６０が外部装置と通信することを防止できる。非接触ＩＣカード６０と非接触ＩＣカード通信防止装置１０との距離（図５における「Ａ」）が送受信電磁波の波長の数分の１以内ならその通信は妨げられることが実証されている。従って、図５に示すように図１１における外部装置７０からみて非接触ＩＣカード６０の裏面に本発明に係る非接触ＩＣカード通信防止装置１０を配置してもよい。
【００３６】
本実施の形態は、非接触ＩＣカードケースの少なくとも片面を電磁シールドしているので、外部装置との通信を防止することができるという利点がある。
【００３７】
（実施の形態２）
図６は、本発明の一実施形態に係る非接触ＩＣカードケース４０を示す図である。図６には、（実施の形態１）で述べた非接触ＩＣカード通信防止装置１０を備えた、非接触ＩＣカード６０を収納する非接触ＩＣカードケース４０が示されている。
【００３８】
上記（実施の形態１）で述べたように、非接触ＩＣカード通信防止装置１０は、外部装置７０（図１１参照）と非接触ＩＣカード６０との間の電磁波の誘導を遮断又は減衰させる、非接触ＩＣカードに内蔵されるアンテナを覆う形状の電磁シールド手段１４（図１参照）を備えている。
【００３９】
非接触ＩＣカードケース４０は、種々のカードを収納するケースの表面及び裏面のうちの一方又は双方のいずれかに、非接触ＩＣカード通信防止装置１０を備えて構成されている。
【００４０】
本実施の形態によれば、非接触ＩＣカード通信防止装置１０を備えた非接触ＩＣカードケース４０に、非接触ＩＣカード６０を収納すれば、非接触ＩＣカード６０と外部装置との通信を防止することができるという利点がある。非接触ＩＣカード６０を使用する場合は、非接触ＩＣカード６０を非接触ＩＣカードケース４０から取り出せばよい。
【００４１】
（実施の形態３）
図７は、本発明の一実施形態に係る他の非接触ＩＣカードケース５０を示す図である。図７には、カードケース本体５２に、（実施の形態１）で述べた電磁シールド手段１４を備えた、見開き型の非接触ＩＣカードケース５０が示されている。非接触ＩＣカード６０に内蔵されるアンテナを超える大きさの平面形状で、かつ非接触ＩＣカード６０が通信する外部装置（不図示）と非接触ＩＣカード６０との間の電磁波の誘導を遮断又は減衰させる電磁シールド手段１４と、非接触ＩＣカード６０を収納する収納部１５と、を備えた２以上の面を有する見開き型の非接触ＩＣカードケースである。かかる非接触ＩＣカードケース５０は、閉じた状態（図７（Ｂ））では、非接触ＩＣカード６０が収納された収納部１５と電磁シールド手段１４とが近接した状態になり、開いた状態（図７（Ａ））では、非接触ＩＣカード６０が収納された収納部１５と電磁シールド手段１４とが離れた状態になる。
【００４２】
本実施の形態によれば、非接触ＩＣカード６０を使用する場合には見開いた状態にすれば非接触ＩＣカード６０と外部装置とが通信を行うことができ、非接触ＩＣカード６０を使用する意思がない場合には非接触ＩＣカードケース５０を閉じておけばよい。使用の際に非接触ＩＣカードケース５０から非接触ＩＣカード６０を取り出さなくても利用が可能であり、非接触ＩＣカードケース５０を閉じておけば、非接触ＩＣカード６０が外部装置と通信することを防止することが可能であるという利点がある。
【００４３】
図７では、カードケース本体５２は２面で構成されているが、２面に限定されるものではない。
【００４４】
（実施の形態４）
図８は、本発明の一実施形態に係る他の非接触ＩＣカードケース５０を示す図である。図８には、カードケース本体５２に、（実施の形態１）で述べた電磁シールド手段１４を備えた、見開き型の非接触ＩＣカードケース５０が示されている。非接触ＩＣカード６０に内蔵されるアンテナを超える大きさの平面形状で、かつ非接触ＩＣカード６０が通信する外部装置（不図示）と非接触ＩＣカード６０との間の電磁波の誘導を遮断又は減衰させる電磁シールド手段１４と、非接触ＩＣカード６０を収納する収納部１５と、を備えた３以上の面を有する見開き型の非接触ＩＣカードケースである。かかる非接触ＩＣカードケース５０は、閉じた状態（図８（Ｂ））では、収納部１５の配置されている見開きの１つの面（図８（Ｂ）の中ベロ１６）が、電磁シールド手段１４の配置された他の２つの面に挟まれることになり、開いた状態（図８（Ａ））では、非接触ＩＣカード６０が収納された収納部１５と電磁シールド手段１４とが離れた状態になる。
【００４５】
本実施の形態によれば、非接触ＩＣカード６０を使用する場合には見開いた状態にすれば非接触ＩＣカード６０と外部装置とが通信を行うことができ、非接触ＩＣカード６０を使用する意思がない場合には非接触ＩＣカードケース５０を閉じておけばよい。使用の際に非接触ＩＣカードケース５０から非接触ＩＣカード６０を取り出さなくても利用が可能であり、非接触ＩＣカードケース５０を閉じておけば、非接触ＩＣカード６０が外部装置と通信することを防止することが可能であるという利点がある。
【００４６】
図８では、カードケース本体５２は３面で構成されているが、３面に限定されるものではない。
【００４７】
（実施の形態５）
図９は、本発明の一実施形態に係る他の非接触ＩＣカードケース５０を示す図である。図９には、カードケース本体５２に、（実施の形態１）で述べた電磁シールド手段１４を備えた、見開き型の非接触ＩＣカードケース５０が示されている。非接触ＩＣカード６０に内蔵されるアンテナを超える大きさの平面形状で、かつ非接触ＩＣカード６０が通信する外部装置（不図示）と非接触ＩＣカード６０との間の電磁波の誘導を遮断又は減衰させる電磁シールド手段１４と、非接触ＩＣカード６０を収納する収納部１５と、を備えた３以上の面を有する見開き型の非接触ＩＣカードケースである。（実施形態４）との違いは、カードケース本体５２が、３面連続している点である。かかる非接触ＩＣカードケース５０は、閉じた状態（図９（Ｂ））では、収納部１５の配置されている見開きの１つの面が、電磁シールド手段１４の配置された他の２つの面に挟まれることになり、開いた状態（図９（Ａ））では、非接触ＩＣカード６０が収納された収納部１５と電磁シールド手段１４とが離れた状態になる。
【００４８】
本実施の形態によれば、非接触ＩＣカード６０を使用する場合には見開いた状態にすれば非接触ＩＣカード６０と外部装置とが通信を行うことができ、非接触ＩＣカード６０を使用する意思がない場合には非接触ＩＣカードケース５０を閉じておけばよい。使用の際に非接触ＩＣカードケース５０から非接触ＩＣカード６０を取り出さなくても利用が可能であり、非接触ＩＣカードケース５０を閉じておけば、非接触ＩＣカード６０が外部装置と通信することを防止することが可能であるという利点がある。
【００４９】
図９では、カードケース本体５２は３面で構成されているが、３面に限定されるものではない。
【産業上の利用可能性】
【００５０】
本願発明の非接触ＩＣカード通信防止装置は、それ自体を単体で利用するばかりでなく、定期入れや財布に収納する装置としても利用することができる。
また、本願発明の非接触ＩＣカードケースは、非接触ＩＣカードを収納するケースとしてばかりでなく、定期入れや財布にも適用することができる。
【図面の簡単な説明】
【００５１】
【図１】本発明の一実施形態に係る非接触ＩＣカード通信防止装置を示す図である。
【図２】本発明の一実施形態に係る非接触ＩＣカード通信防止装置と非接触ＩＣカードとの配置を示す図である。
【図３】本発明の一実施形態に係る非接触ＩＣ通信防止装置の使用状態を示す図である。
【図４】本発明の一実施形態に係る非接触ＩＣカード通信防止装置が外部装置からの電磁波を遮蔽している状態を示す説明図である。
【図５】本発明の一実施形態に係る非接触ＩＣカード通信防止装置が外部装置からの電磁波との通信を妨げている状態を示す説明図である。
【図６】本発明の一実施形態に係る非接触ＩＣカードケースを示す図である。
【図７】本発明の一実施形態に係る他の非接触ＩＣカードケースを示す図である。
【図８】本発明の一実施形態に係る他の非接触ＩＣカードケースを示す図である。
【図９】本発明の一実施形態に係る他の非接触ＩＣカードケースを示す図である。
【図１０】非接触ＩＣカードを示す斜視図である。
【図１１】非接触ＩＣカードを使用する場合の概念図である。
【符号の説明】
【００５２】
１０  非接触ＩＣカード通信防止装置
１２  本体
１４  電磁シールド手段
１５  収納部
１６  中ベロ
３０  カードケース
４０  非接触ＩＣカードケース
５０  非接触ＩＣカードケース
５２  本体
６０  非接触ＩＣカード
６２  本体
６４  アンテナ
６６  ＩＣチップ
７０  外部装置
【図１】
2005346549.tif 000003
【図２】
2005346549.tif 000004
【図３】
2005346549.tif 000005
【図４】
2005346549.tif 000006
【図５】
2005346549.tif 000007
【図６】
2005346549.tif 000008
【図７】
2005346549.tif 000009
【図８】
2005346549.tif 000010
【図９】
2005346549.tif 000011
【図１０】
2005346549.tif 000012
【図１１】
2005346549.tif 000013